(57)【要約】【課題】トラフィック管理リソースを利用する先行技術に関連する欠点及び課題を軽減し又は取り除く。【解決手段】一実施形態で、トラフィック管理リソース利用可能性をノードに通知する方法は、利用可能なトラフィック管理リソースが第１のノードにあるかどうかを確定する段階を有する。このとき、トラフィック管理リソースは、第１のノードでトンネルによる帯域幅の利用を追跡する。利用可能なトラフィック管理リソースがあるかどうかは、トラフィック管理リンク属性に記録される。トラフィック管理リンク属性は、利用可能なトラフィック管理リソースが第１のノードにあるかどうかを第２のノードに通知するよう第２のノードへ送られる。【選択図】図４
2009089389.tif 000002
【特許請求の範囲】
【請求項１】
トラフィック管理リソース利用可能性を１又はそれ以上のノードに通知する方法であって、
第１のノードでトンネルによる帯域幅の利用を追跡するよう動作する利用可能なトラフィックリソースが前記第１のノードにあるかどうかを確定する段階と、
利用可能なトラフィック管理リソースがあるかどうかをトラフィック管理リンク属性に記録する段階と、
利用可能なトラフィック管理リソースが前記第１のノードにあるかどうかを前記１又はそれ以上の第２のノードに通知するよう該１又はそれ以上の第２のノードへ前記トラフィック管理リンク属性を送る段階とを有する方法。
【請求項２】
前記利用可能なトラフィック管理リソースがあるかどうかをトラフィック管理リンク属性に記録する段階は、
利用可能なトラフィック管理リソースがある場合に、
前記トラフィック管理リンク属性の以前の値が利用可能なトラフィック管理リソースがあることを示す場合には、前記以前の値を保持する段階と、
前記トラフィック管理リンク属性の以前の値が利用可能なトラフィック管理リソースがないことを示す場合には、利用可能なトラフィック管理リソースがあることを示すよう現在の値を設定する段階とを更に有する、請求項１記載の方法。
【請求項３】
前記利用可能なトラフィック管理リソースがあるかどうかをトラフィック管理リンク属性に記録する段階は、
利用可能なトラフィック管理リソースがない場合に、
前記トラフィック管理リンク属性の以前の値が利用可能なトラフィック管理リソースがあることを示す場合には、利用可能なトラフィック管理リソースがないことを示すよう現在の値を設定する段階と、
前記トラフィック管理リンク属性の以前の値が利用可能なトラフィック管理リソースがないことを示す場合には、前記以前の値を保持する段階とを更に有する、請求項１記載の方法。
【請求項４】
前記第１のノードで利用可能なトラフィック管理リソースがあるかどうかを確定する段階は、
前記第１のノードでのトラフィック管理リソースの使用中の割合を決定する段階と、
前記使用中の割合が閾値を超える場合に、利用可能なトラフィック管理リソースがないと確定する段階とを更に有する、請求項１記載の方法。
【請求項５】
トンネルに対する要求を受信する段階と、
前記利用可能なトラフィック管理リソースを前記トンネルへ割り当てる段階とを更に有する、請求項１記載の方法。
【請求項６】
トラフィック管理リソース利用可能性を１又はそれ以上のノードに通知する装置であって、
メモリ内で具体化され、且つ、第１のノードでトンネルによる帯域幅の利用を追跡するよう動作する利用可能なトラフィックリソースが前記第１のノードにあるかどうかを確定し、利用可能なトラフィック管理リソースがあるかどうかをトラフィック管理リンク属性に記録するよう動作するロジックと、
利用可能なトラフィック管理リソースが前記第１のノードにあるかどうかを前記１又はそれ以上の第２のノードに通知するよう該１又はそれ以上の第２のノードへ前記トラフィック管理リンク属性を送るよう動作するインターフェースとを有する装置。
【請求項７】
トラフィック管理リソース利用可能性を１又はそれ以上のノードに通知するシステムであって、
第１のノードでトンネルによる帯域幅の利用を追跡するよう動作する利用可能なトラフィックリソースが前記第１のノードにあるかどうかを確定する手段と、
利用可能なトラフィック管理リソースがあるかどうかをトラフィック管理リンク属性に記録する手段と、
利用可能なトラフィック管理リソースが前記第１のノードにあるかどうかを前記１又はそれ以上の第２のノードに通知するよう該１又はそれ以上の第２のノードへ前記トラフィック管理リンク属性を送る手段とを有するシステム。
【請求項８】
トンネルをセットアップする方法であって、
１又はそれ以上の第１のノードの中の第１のノードに関連付けられ、該関連する第１のノードでトンネルによる帯域幅の利用を追跡するよう動作する利用可能なトラフィック管理リソースが前記関連する第１のノードにあるかどうかを示す１又はそれ以上のトラフィック管理リンク属性を受信する段階と、
トンネルが該トンネルの１又はそれ以上のノードに関してトラフィック管理リソースを必要とする場合に、利用可能なトラフィック管理リソースが当該第１のノードにある場合にのみ第１のノードを用いて前記トンネルをセットアップする段階とを有する方法。
【請求項９】
前記第１のノードを用いて前記トンネルをセットアップする段階は、
前記トンネルが、該トンネルがトラフィック管理リソースを必要とすることを示すアフィニティ・マスクを有する場合に、利用可能なトラフィック管理リソースが当該第１のノードにあることを示すトラフィック管理リンク属性を有する第１のノードを選択する段階を更に有する、請求項８記載の方法。
【請求項１０】
トンネルをセットアップするよう動作する装置であって、
１又はそれ以上の第１のノードの中の第１のノードに関連付けられ、該関連する第１のノードでトンネルによる帯域幅の利用を追跡するよう動作する利用可能なトラフィック管理リソースが前記関連する第１のノードにあるかどうかを示す１又はそれ以上のトラフィック管理リンク属性を受信するよう動作するインターフェースと、
メモリ内で具体化され、且つ、トンネルが該トンネルの１又はそれ以上のノードに関してトラフィック管理リソースを必要とする場合に、利用可能なトラフィック管理リソースが当該第１のノードにある場合にのみ第１のノードを用いて前記トンネルをセットアップするよう動作するロジックとを有する装置。
【発明の詳細な説明】
【技術分野】
【０００１】
本発明は、概して、通信ネットワークの分野、より具体的には、トラフィック管理リソースの利用可能性をノードに通知するためにリンク属性を用いることに関する。
【背景技術】
【０００２】
通信ネットワークは、ノードがパケットをやり取りすることが可能なトンネルを有しうる。あるシステムでは、トンネルは、そのトンネルによって使用される帯域幅を管理するトラフィック管理リソース（Traffic  Management  Resource；ＴＭＲ）を割り当てられる。ノードは、通常は、固定数のトラフィック管理リソースを有し、故に、固定数のトンネルしかノードを介して設定され得ない。ある場合には、ソースノードは、各ノードでのトラフィック管理リソースの利用可能性を知らない。ソースノードが、利用可能なトラフィック管理リソースを有さないノードを介してトンネルをセットアップしようと試みる場合には、トンネルのセットアップは失敗する。
【発明の開示】
【発明が解決しようとする課題】
【０００３】
本発明に従って、トラフィック管理リソースを利用する先行技術に関連する欠点及び課題は軽減され又は取り除かれる。
【課題を解決するための手段】
【０００４】
一実施形態で、トラフィック管理リソース利用可能性をノードに通知する方法は、利用可能なトラフィック管理リソースが第１のノードにあるかどうかを確定する段階を有する。このとき、トラフィック管理リソースは、第１のノードでトンネルによる帯域幅の利用を追跡する。利用可能なトラフィック管理リソースがあるかどうかは、トラフィック管理リンク属性に記録される。トラフィック管理リンク属性は、利用可能なトラフィック管理リソースが第１のノードにあるかどうかを第２のノードに通知するよう第２のノードへ送られる。
【発明の効果】
【０００５】
本発明のある実施例は、１又はそれ以上の技術的効果を提供することができる。一実施例の技術的効果は、ノードがそのノードでのトラフィック管理リソース利用可能性を他のノードに通知することでありうる。ノードは、自身が利用可能なトラフィック管理リソースを有するかどうかを示すトラフィック管理リンク属性を送る。一実施例の他の技術的効果は、ソースノードが、トンネルをセットアップすべくノードを選択するためにトラフィック管理リソース利用可能性情報を使用することができることでありうる。
【０００６】
本発明のある実施例は、上記の技術的効果を全く含まないか、あるいは、そのうちの幾つか若しくは全てを備えうる。１又は他の技術的効果は、容易に、本願の願書に添付された図面、明細書及び特許請求の範囲から、いわゆる当業者に明らかであろう。
【発明を実施するための最良の形態】
【０００７】
本発明の特徴及び効果のより完全な理解のために、ここで、添付の図面に関連した以下の記載が参照される。
【０００８】
本発明の実施例及びその効果は、図面の図１乃至４を参照することによって、最もよく理解される。図中、同じ番号は、様々な図面の同一の又は対応する部分に使用される。
【０００９】
図１は、ノード２０が、そのノード２０でのトラフィック管理リソース２６の利用可能性を他のノード２０に通知するところのシステム１０の例を表す。この例で、ノード２０ｃは、トラフィック管理リソース（ＴＭＲ）利用可能性情報２４を含むメッセージ３０を送信する。ＴＭＲ利用可能性情報２４は、ノード２０ｃが利用可能なトラフィック管理リソースを有するかどうかを示すトラフィック管理リンク属性を有する。ソースノード２０ａは、ＴＭＲ利用可能性情報２４を使用して、トンネル３６をセットアップするノード２０を選択する。
【００１０】
一実施例で、システム１０は、例えば光信号のような信号により、情報をやり取りする。光信号は、いずれかの適切なデータレートを有することができる。情報は、音声、データ、オーディオ、映像、マルチメディア、コントロール、シグナリング、及び／又は情報を含むことができる。
【００１１】
表される例では、システム１０は、トンネル３６をセットアップすることができるノード２０ａ〜２０ｆを有する。ノード２０はラベル・スイッチング・ルータ（ＬＳＲ）に相当する。トンネル３６は、ノード２０の連続を有するラベル・スイッチド・パス（ＬＳＰ）でありうる。パケットは、ソースノード２０ａから、０、１、又はそれ以上の中間ノード２０ｃ及び２０ｆを介して、あて先ノード２０ｂへ伝わる。一実施例で、ソースノード２０ａは、パケットをマルチプロトコル・ラベル・スイッチング（ＭＰＬＳ）パケットにカプセル化する。中間ノード２０ｃ及び２０ｆは、ＭＰＬＳカプセル化に基づくパケットを転送する。あて先ノード２０ｂは、ＭＰＬＳパケットを非カプセル化し、元のパケットが得られる。
【００１２】
ノード２０は、制御プレーン４０、転送プレーン４４、及びポート４８を有する。制御プレーン４０は、あて先ノード２０ｂまでのトンネル３６の経路を決定する。制御プレーン４０は、あて先ノード２０ｂに対するパケットが送られるべきポート４８を特定するルーティングテーブルを設定する。制御プレーン４０は、例えば、ノード２０のＴＭＲ利用可能性情報２４のようなトラフィック管理情報を記憶するトラフィック工学（ＴＥ）データベース２８を有する。
【００１３】
転送プレーン４４は、ルーティングテーブルに従ってパケットを転送する。転送プレーン４４は、トラフィック管理リソース（ＴＭＲ）２６を有する。トラフィック管理リソース２６は、特定のトンネル３６に割り当てられ、トンネル３６を経由するトラフィックがトンネル３６に確保されている帯域幅を超えないことを確実にするために使用される。
【００１４】
ノード２０のＴＭＲ利用可能性情報２４は、トンネル３６による使用のためのノード２０のトラフィック管理リソース２６の利用可能性を記述する。利用可能性は、例えば、トラフィック管理リソースがノード２０で利用可能であるかどうか、又はノード２０での利用可能なトラフィック管理リソースの数を示しうる。
【００１５】
ノード２０ｂは、ＴＭＲ利用可能性情報２４を含むメッセージ３０を送信することによって、トラフィック管理リソース２６の利用可能性を（ソースノード２０ａを含む）他のノード２０に通知する。一実施例で、ＴＭＲ利用可能性情報２４は、トラフィック管理リソース２６がノード２０で利用可能であるかどうかを記述する。ＴＭＲ利用可能性情報２４は、トラフィック管理リンク属性のトラフィック管理リソース（ＴＭＲ）利用可能性値として記録される。例えば、属性のためのビットは、リソース２６が利用可能であることを示すよう１に設定され、また、ビットは、ソース２６が利用可能でないことを示すよう０に設定される。
【００１６】
一実施例で、ノード２０ｂは、リンク状態通知メッセージ内のＴＭＲ利用可能性情報２４の更新を送信する。更新の数を制御するよう、減衰制御メカニズムのような帯域幅更新が、更新を減らすために使用され得る。
【００１７】
一実施例で、トンネル３６は、トンネル３６のノード２０が有すべきリンク属性を指定するアフィニティ・マスクを有する。ソースノード２０ａの制御プレーン４０は、トンネル３６のアフィニティ・マスクを満足するノード２０を選択する。当該実施例で、アフィニティ・マスクは、トンネル３６がトラフィック管理リソース２６を必要とするかどうかを示すトンネルアフィニティ属性を含む。制御プレーン４０は、ノード２０が利用可能なトラフィック管理リソース２６を有することを示すトラフィック管理リンク属性を備えたノード２０を選択する。
【００１８】
例えばノード２０ａ〜２０ｆのような、システム１０の構成要素は、インターフェース、ロジック、メモリ、及び／又は他の適切な要素を含みうる。インターフェースは、入力を受信し、出力を送信し、入力及び／又は出力を処理し、且つ／あるいは、他の適切な動作を実行する。インターフェースは、ハードウェア及び／又はソフトウェアを有することができる。
【００１９】
ロジックは、構成要素の動作を実行し、例えば、入力から出力を生成する命令を実行する。ロジックは、ハードウェア、ソフトウェア、及び／又は他のロジックを有することができ、メモリに記憶され得る。例えば処理装置のような、あるロジックは、構成要素の動作を管理することができる。処理装置の例は、１若しくはそれ以上のコンピュータ、１若しくはそれ以上のマイクロプロセッサ、１若しくはそれ以上のアプリケーション、及び／又は他のロジックを含む。
【００２０】
メモリは情報を記憶する。メモリは、例えば、コンピュータメモリ（例えば、ランダムアクセスメモリ（ＲＡＭ）又は読出専用メモリ（ＲＯＭ））、大容量記憶媒体（例えば、ハードディスク）、取り外し可能な記憶媒体（例えば、コンパクトディスク（ＣＤ）又はデジタルビデオディスク（ＤＶＤ））、データベース及び／又はネットワーク記憶部（例えば、サーバ）、及び／又は他のコンピュータ読出可能な記録媒体のような、コンピュータ読出可能な記録媒体を含みうる。
【００２１】
本発明の適用範囲を逸脱することなく、システム１０に対して変形、付加又は削除を行うことができる。システム１０の構成要素は一体とされても、あるいは別個にされても良い。更に、システム１０の動作は、より多い、より少ない、又は他の装置によっても行われ得る。加えて、システム１０の動作は、いずれかの適切なロジックを用いても行われ得る。本明細書中で用いられているように、“夫々”又は“各々”（each）は、セットの各部又はセットのサブセットの各部を表す。
【００２２】
図２は、図１のシステム１０とともに使用され得る中間ノード２０ｃの例を表す。ノード２０ｃは、ポート４８ａ〜４８ｃ、トラフィック管理リソース２６、ＴＭＲマネージャ６０、及びリザベーションマネージャ５８を有する。トンネル３６ａはポート４８ａ及びポート４８ｂを横断し、トンネル３６ｂはポート４８ａ及びポート４８ｃを横断する。
【００２３】
利用可能ＴＭＲプール５０は、特定のポート４８で利用可能なトラフィック管理リソース２６を含む。使用中である（従って、利用可能でない）トラフィック管理リソース２６は、トンネル３６に位置付けられる。表される実施例では、トンネル３６ａはトラフィック管理リソース２６ａを使用し、トンネル３６ｂはトラフィック管理リソース２６ｂを使用する。
【００２４】
リザベーションマネージャ５８は、トンネル３６のためにリソースを取っておく。ＴＭＲマネージャ６０は、利用可能なトラフィック管理リソース２６を追跡し、その利用可能なトラフィック管理リソース２６をトンネル３６に割り当てる。リザベーションマネージャ５８は、リソース２６を取っておく前に、ＴＭＲマネージャ６０に問い合わせて、利用可能なトラフィック管理リソース２６が存在するかどうかを判断する。
【００２５】
ＴＭＲマネージャ６０は、ＴＭＲ利用可能性情報２４を決定し、この情報２４を、他のノード２０への分配のために、メッセージ３０に記録する。一実施例で、ＴＭＲマネージャ６０は、利用可能なトラフィック管理リソース２６があるかどうかを判断し、利用可能性をトラフィック管理リンク属性に記録する。
【００２６】
一実施例で、ＴＭＲマネージャ６０は、使用中であるトラフィック管理リソース２６の割合（パーセンテージ）を計算する。使用中の割合が（例えば、９０％、９５％、又は９８％よりも大きい）閾値を超える場合には、ＴＭＲマネージャ６０は、利用可能なトラフィック管理リソース２６はないと判断する。そうでない場合には、ＴＭＲマネージャ６０は、利用可能なトラフィック管理リソース２６があると判断する。
【００２７】
本発明の適用範囲を逸脱することなく、ノード２０に対して変形、付加又は削除を行うことができる。ノード２０の構成要素は一体とされても、あるいは別個にされても良い。更に、ノード２０の動作は、より多い、より少ない、又は他の装置によっても行われ得る。例えば、リザベーションマネージャ５８の動作は、１よりも多い構成要素によって実行され得る。加えて、ノード２０の動作は、いずれかの適切なロジックを用いても行われ得る。
【００２８】
図３は、図１のシステム１０により使用され得るソースノード２０ａの例を表す。ソースノード２０ａは、トラフィック工学データベース２８、ポート４８、及び経路発生器８０を有する。トラフィック工学データベース２８は、ノード２０で利用可能なトラフィック管理リソース２６を記述するＴＭＲ利用可能性情報２４を記憶する。
【００２９】
経路発生器８０は、トンネル３６の経路を計算し、その経路を計算するために帯域制約最短経路法（ＣＳＰＦ）を使用することができる。経路発生器８０は、トンネル設定パラメータ８４に従って経路を計算する。トンネル設定パラメータ８４は、トンネル３６のソースノード２０ａと、トンネル３６のあて先ノード２０ｂと、トンネル３６に必要とされる帯域幅とを指定することができる。
【００３０】
一実施例で、経路発生器８０は、トンネル３６がトラフィック管理リソース２６を必要とすることを確定する。経路発生器８０は、トラフィック工学データベース２８からのＴＭＲ利用可能性情報２４を使用して、利用可能なトラフィック管理リソース２６を有するノード２０を選択する。
【００３１】
本発明の適用範囲を逸脱することなく、ソースノード２０ａに対して変形、付加又は削除を行うことができる。ノード２０ａの構成要素は一体とされても、あるいは別個にされても良い。更に、ノード２０ａの動作は、より多い、より少ない、又は他の装置によっても行われ得る。加えて、ノード２０の動作は、いずれかの適切なロジックを用いても行われ得る。
【００３２】
図４は、図１のシステム１０によって使用され得る、トラフィック管理リソース２６の利用可能性をノード２０に通知する方法の例を表す。当該方法はステップ２１０から開始する。ステップ２１０で、ＴＭＲマネージャ６０は、トラフィック管理リソース２６の利用可能性を確認する。
【００３３】
ＴＭＲマネージャ６０は、ステップ２１４で、利用可能なトラフィック管理リソース２６があるかどうかを判断する。一実施例で、ＴＭＲマネージャ６０は、トラフィック管理リソース２６の使用中の割合を計算する。使用中の割合が閾値を超える場合には、ＴＭＲマネージャ６０は、利用可能なトラフィック管理リソース２６はないと判断する。そうでない場合には、ＴＭＲマネージャ６０は、利用可能なトラフィック管理リソース２６があると判断する。
【００３４】
ステップ２１４で利用可能なトラフィック管理リソース２６がある場合には、ステップ２１８に移る。ステップ２１８で、トラフィック管理リンク属性のＴＭＲ利用可能性値は、利用可能なトラフィック管理リソース２６がある又はないことを示すことができる。以前の値が、利用可能なトラフィック管理リソース２６があることを示す場合には、ステップ２５６に移る。以前の値が、利用可能なトラフィック管理リソース２６がないことを示す場合には、ステップ２２２に移る。ステップ２２２では、その値は、利用可能なトラフィック管理リソース２６があることを示すよう設定される。ＴＭＲマネージャ６０は、ステップ２３６で、ＴＭＲ利用可能性情報２４を記録するトラフィック管理リンク属性を送信する。リンク属性は、メッセージ３０において送信される。次いで、ステップ２５６に移る。
【００３５】
ステップ２１４で利用可能なトラフィック管理リソース２６がない場合には、ステップ２２８に移る。ステップ２２８で、トラフィック管理リンク属性の以前の値は、利用可能なトラフィック管理リソース２６がある又はないことを示すことができる。以前の値が、利用可能なトラフィック管理リソース２６がないことを示す場合には、ステップ２５６に移る。以前の値が、利用可能なトラフィック管理リソース２６があることを示す場合には、ステップ２３２に移る。ステップ２３２では、その値は、利用可能なトラフィック管理リソース２６がないことを示すよう設定される。ＴＭＲマネージャ６０は、ステップ２３６で、ＴＭＲ利用可能性情報２４を記録するトラフィック管理リンク属性を送信する。リンク属性は、メッセージ３０において送信される。次いで、ステップ２５６に移る。
【００３６】
当該方法はステップ２５６で継続され得る。当該方法が継続されるべき場合には、ステップ２１０に戻って、トラフィック管理リソース２６の利用可能性が確認される。ステップ２５６で当該方法が継続され得ない場合には、当該方法は終了する。
【００３７】
本発明の適用範囲を逸脱することなく、当該方法に対して変形、付加又は削除を行うことができる。当該方法は、より多い、より少ない、又は他のステップを有することができる。加えて、かかるステップは、いずれかの適切な順序で実行され得る。
【００３８】
本発明のある実施例は、１又はそれ以上の技術的効果を提供することができる。一実施例の技術的効果は、ノードがそのノードでのトラフィック管理リソース利用可能性を他のノードに通知することでありうる。ノードは、そのノードが利用可能なトラフィック管理リソースを有するかどうかを示すトラフィック管理リンク属性を送信する。一実施例の他の技術的効果は、ソースノードが、トラフィック管理リソース利用可能性情報を使用して、トンネルをセットアップするノードを選択することができることでありうる。
【００３９】
本開示は、特定の実施例に関して記載されてきたが、かかる実施例及び方法の代替案及び置換は当業者には明らかであろう。従って、例となる実施形態に関する上記の記載は、本開示を限定しない。他の変更、代替、及び置換は、特許請求の範囲によって定義される本開示の精神及び適用範囲を逸脱することなく可能である。
【００４０】
以上の実施形態に関し、更に以下の付記を開示する。
【００４１】
（付記１）
トラフィック管理リソース利用可能性を１又はそれ以上のノードに通知する方法であって、
第１のノードでトンネルによる帯域幅の利用を追跡するよう動作する利用可能なトラフィックリソースが前記第１のノードにあるかどうかを確定する段階と、
利用可能なトラフィック管理リソースがあるかどうかをトラフィック管理リンク属性に記録する段階と、
利用可能なトラフィック管理リソースが前記第１のノードにあるかどうかを前記１又はそれ以上の第２のノードに通知するよう該１又はそれ以上の第２のノードへ前記トラフィック管理リンク属性を送る段階とを有する方法。
【００４２】
（付記２）
前記利用可能なトラフィック管理リソースがあるかどうかをトラフィック管理リンク属性に記録する段階は、
利用可能なトラフィック管理リソースがある場合に、
前記トラフィック管理リンク属性の以前の値が利用可能なトラフィック管理リソースがあることを示す場合には、前記以前の値を保持する段階と、
前記トラフィック管理リンク属性の以前の値が利用可能なトラフィック管理リソースがないことを示す場合には、利用可能なトラフィック管理リソースがあることを示すよう現在の値を設定する段階とを更に有する、付記１記載の方法。
【００４３】
（付記３）
前記利用可能なトラフィック管理リソースがあるかどうかをトラフィック管理リンク属性に記録する段階は、
利用可能なトラフィック管理リソースがない場合に、
前記トラフィック管理リンク属性の以前の値が利用可能なトラフィック管理リソースがあることを示す場合には、利用可能なトラフィック管理リソースがないことを示すよう現在の値を設定する段階と、
前記トラフィック管理リンク属性の以前の値が利用可能なトラフィック管理リソースがないことを示す場合には、前記以前の値を保持する段階とを更に有する、付記１記載の方法。
【００４４】
（付記４）
前記第１のノードで利用可能なトラフィック管理リソースがあるかどうかを確定する段階は、
前記第１のノードでのトラフィック管理リソースの使用中の割合を決定する段階と、
前記使用中の割合が閾値を超える場合に、利用可能なトラフィック管理リソースがないと確定する段階とを更に有する、付記１記載の方法。
【００４５】
（付記５）
トンネルに対する要求を受信する段階と、
前記利用可能なトラフィック管理リソースを前記トンネルへ割り当てる段階とを更に有する、付記１記載の方法。
【００４６】
（付記６）
トラフィック管理リソース利用可能性を１又はそれ以上のノードに通知する装置であって、
メモリ内で具体化され、且つ、第１のノードでトンネルによる帯域幅の利用を追跡するよう動作する利用可能なトラフィックリソースが前記第１のノードにあるかどうかを確定し、利用可能なトラフィック管理リソースがあるかどうかをトラフィック管理リンク属性に記録するよう動作するロジックと、
利用可能なトラフィック管理リソースが前記第１のノードにあるかどうかを前記１又はそれ以上の第２のノードに通知するよう該１又はそれ以上の第２のノードへ前記トラフィック管理リンク属性を送るよう動作するインターフェースとを有する装置。
【００４７】
（付記７）
前記ロジックは、更に、利用可能なトラフィック管理リソースがある場合に、前記トラフィック管理リンク属性の以前の値が利用可能なトラフィック管理リソースがあることを示す場合には、前記以前の値を保持し、また、前記トラフィック管理リンク属性の以前の値が利用可能なトラフィック管理リソースがないことを示す場合には、利用可能なトラフィック管理リソースがあることを示すよう現在の値を設定することによって、利用可能なトラフィック管理リソースがあるかどうかをトラフィック管理リンク属性に記録するよう動作する、付記６記載の装置。
【００４８】
（付記８）
前記ロジックは、更に、利用可能なトラフィック管理リソースがない場合に、前記トラフィック管理リンク属性の以前の値が利用可能なトラフィック管理リソースがあることを示す場合には、利用可能なトラフィック管理リソースがないことを示すよう現在の値を設定し、また、前記トラフィック管理リンク属性の以前の値が利用可能なトラフィック管理リソースがないことを示す場合には、前記以前の値を保持することによって、前記利用可能なトラフィック管理リソースがあるかどうかをトラフィック管理リンク属性に記録するよう動作する、付記６記載の装置。
【００４９】
（付記９）
前記ロジックは、更に、前記第１のノードでのトラフィック管理リソースの使用中の割合を決定し、また、前記使用中の割合が閾値を超える場合に、利用可能なトラフィック管理リソースがないと確定することによって、前記第１のノードで利用可能なトラフィック管理リソースがあるかどうかを確定するよう動作する、付記６記載の装置。
【００５０】
（付記１０）
前記ロジックは、更に、トンネルに対する要求を受信し、前記利用可能なトラフィック管理リソースを前記トンネルへ割り当てるよう動作する、付記６記載の装置。
【００５１】
（付記１１）
トラフィック管理リソース利用可能性を１又はそれ以上のノードに通知するよう動作するロジックであって、
コンピュータ読出可能な記録媒体において具体化され、
コンピュータによって実行される場合に、
第１のノードでトンネルによる帯域幅の利用を追跡するよう動作する利用可能なトラフィックリソースが前記第１のノードにあるかどうかを確定し、
利用可能なトラフィック管理リソースがあるかどうかをトラフィック管理リンク属性に記録し、
利用可能なトラフィック管理リソースが前記第１のノードにあるかどうかを前記１又はそれ以上の第２のノードに通知するよう該１又はそれ以上の第２のノードへ前記トラフィック管理リンク属性を送るよう動作するロジック。
【００５２】
（付記１２）
更に、利用可能なトラフィック管理リソースがある場合に、前記トラフィック管理リンク属性の以前の値が利用可能なトラフィック管理リソースがあることを示す場合には、前記以前の値を保持し、また、前記トラフィック管理リンク属性の以前の値が利用可能なトラフィック管理リソースがないことを示す場合には、利用可能なトラフィック管理リソースがあることを示すよう現在の値を設定することによって、前記利用可能なトラフィック管理リソースがあるかどうかをトラフィック管理リンク属性に記録するよう動作する、付記１１記載のロジック。
【００５３】
（付記１３）
更に、利用可能なトラフィック管理リソースがない場合に、前記トラフィック管理リンク属性の以前の値が利用可能なトラフィック管理リソースがあることを示す場合には、利用可能なトラフィック管理リソースがないことを示すよう現在の値を設定し、また、前記トラフィック管理リンク属性の以前の値が利用可能なトラフィック管理リソースがないことを示す場合には、前記以前の値を保持することによって、前記利用可能なトラフィック管理リソースがあるかどうかをトラフィック管理リンク属性に記録するよう動作する、付記１１記載のロジック。
【００５４】
（付記１４）
更に、前記第１のノードでのトラフィック管理リソースの使用中の割合を決定し、前記使用中の割合が閾値を超える場合に、利用可能なトラフィック管理リソースがないと確定することによって、前記第１のノードで利用可能なトラフィック管理リソースがあるかどうかを確定するよう動作する、付記１１記載のロジック。
【００５５】
（付記１５）
更に、トンネルに対する要求を受信し、前記利用可能なトラフィック管理リソースを前記トンネルへ割り当てるよう動作する、付記１１記載のロジック。
【００５６】
（付記１６）
トラフィック管理リソース利用可能性を１又はそれ以上のノードに通知するシステムであって、
第１のノードでトンネルによる帯域幅の利用を追跡するよう動作する利用可能なトラフィックリソースが前記第１のノードにあるかどうかを確定する手段と、
利用可能なトラフィック管理リソースがあるかどうかをトラフィック管理リンク属性に記録する手段と、
利用可能なトラフィック管理リソースが前記第１のノードにあるかどうかを前記１又はそれ以上の第２のノードに通知するよう該１又はそれ以上の第２のノードへ前記トラフィック管理リンク属性を送る手段とを有するシステム。
【００５７】
（付記１７）
トンネルをセットアップする方法であって、
１又はそれ以上の第１のノードの中の第１のノードに関連付けられ、該関連する第１のノードでトンネルによる帯域幅の利用を追跡するよう動作する利用可能なトラフィック管理リソースが前記関連する第１のノードにあるかどうかを示す１又はそれ以上のトラフィック管理リンク属性を受信する段階と、
トンネルが該トンネルの１又はそれ以上のノードに関してトラフィック管理リソースを必要とする場合に、利用可能なトラフィック管理リソースが当該第１のノードにある場合にのみ第１のノードを用いて前記トンネルをセットアップする段階とを有する方法。
【００５８】
（付記１８）
前記第１のノードを用いて前記トンネルをセットアップする段階は、
前記トンネルが、該トンネルがトラフィック管理リソースを必要とすることを示すアフィニティ・マスクを有する場合に、利用可能なトラフィック管理リソースが当該第１のノードにあることを示すトラフィック管理リンク属性を有する第１のノードを選択する段階を更に有する、付記１７記載の方法。
【００５９】
（付記１９）
トンネルをセットアップするよう動作する装置であって、
１又はそれ以上の第１のノードの中の第１のノードに関連付けられ、該関連する第１のノードでトンネルによる帯域幅の利用を追跡するよう動作する利用可能なトラフィック管理リソースが前記関連する第１のノードにあるかどうかを示す１又はそれ以上のトラフィック管理リンク属性を受信するよう動作するインターフェースと、
メモリ内で具体化され、且つ、トンネルが該トンネルの１又はそれ以上のノードに関してトラフィック管理リソースを必要とする場合に、利用可能なトラフィック管理リソースが当該第１のノードにある場合にのみ第１のノードを用いて前記トンネルをセットアップするよう動作するロジックとを有する装置。
【００６０】
（付記２０）
前記ロジックは、更に、前記トンネルが、該トンネルがトラフィック管理リソースを必要とすることを示すアフィニティ・マスクを有する場合に、利用可能なトラフィック管理リソースが当該第１のノードにあることを示すトラフィック管理リンク属性を有する第１のノードを選択することによって、第１のノードを用いて前記トンネルをセットアップするよう動作する、付記１９記載の装置。
【図面の簡単な説明】
【００６１】
【図１】ノードがそのノードでのトラフィック管理リソースの利用可能性を他のノードに通知するシステムの例を表す。
【図２】図１のシステムとともに使用される中間ノードの例を表す。
【図３】図１のシステムとともに使用されるソースノードの例を表す。
【図４】図１のシステムによって使用されるトラフィック管理リソースの利用可能性をノードに通知するための方法の例を表す。
【符号の説明】
【００６２】
１０    システム
２０ａ  ソースノード
２０ｂ  あて先ノード
２０ｃ〜２０ｆ  ノード
２４    トラフィック管理リソース（ＴＭＲ）利用可能性情報
２６    トラフィック管理リソース（ＴＭＲ）
２８  トラフィック工学（ＴＥ）データベース
３０    メッセージ
３６    トンネル
４０    制御プレーン
４４    転送プレーン
４８，４８ａ〜４８ｃ    ポート
５０    利用可能ＴＭＲプール
５８    リザベーションマネージャ
６０    ＴＭＲマネージャ
８０    経路発生器
８４    トンネル設定パラメータ
【図１】
2009089389.tif 000003
【図２】
2009089389.tif 000004
【図３】
2009089389.tif 000005
【図４】
2009089389.tif 000006